(57)【要約】【課題】楽曲ごとに表示データを保存することなく、再生中の音声ファイルに対応付けられた表示データを表示可能なコンテンツ処理装置を提供する。【解決手段】表示データを表示する表示部と、音声ファイル名又は音声ファイルのフォルダ名に含まれるキーワードに対応させて表示データを記憶する記憶部と、音声ファイルの再生と、当該再生時の表示データの表示を制御する制御部と、を備え、音声ファイルを再生させるときに、当該音声ファイルにキーワードが含まれるか否かを判断し、キーワードが含まれていた場合は、当該キーワードに対応付けられた表示データを表示部に表示させることにより、楽曲ごとに表示データを保存することなく、再生中の音声ファイルに対応付けられた表示データを表示できる。【選択図】図６
2009295230.tif 000002
【特許請求の範囲】
【請求項１】
表示データを表示する表示部と、
音声ファイル名又は音声ファイルのフォルダ名に含まれるキーワードに対応させて前記表示データを記憶する記憶部と、
前記音声ファイルの再生と、当該再生時の前記表示データの表示を制御する制御部と、を備え、
前記制御部は、前記音声ファイルを再生させるときに、当該音声ファイルに前記キーワードが含まれるか否かを判断し、前記キーワードが含まれていた場合は、当該キーワードに対応付けられた表示データを前記表示部に表示させることを特徴とするコンテンツ処理装置。
【請求項２】
前記制御部は、
前記音声ファイルに複数の前記キーワードが含まれていた場合は、当該複数のキーワードに対応付けられた表示データをすべて表示させるか、又は予め設定された優先順位に基づいて表示させるか、を選択することを特徴とする請求項１に記載のコンテンツ処理装置。
【請求項３】
前記音声ファイルは、当該音声ファイルの基本的な情報について示したタグ情報を有し、
前記制御部は、前記音声ファイルのタグ情報を参照して当該音声ファイルに前記キーワードが含まれるか否かを判断することを特徴とする請求項１又は２に記載のコンテンツ処理装置。
【請求項４】
前記表示データは、画像ファイルであり、
前記制御部は、前記キーワードに対応付けられた画像ファイルを前記表示部に表示させることを特徴とする請求項１から３のいずれか一項に記載のコンテンツ処理装置。
【請求項５】
音声ファイル名又は音声ファイルのフォルダ名に含まれるキーワードに対応させて表示データを記憶させ、
前記音声ファイルを再生させるときに、当該音声ファイルに前記キーワードが含まれるか否かを判断し、前記キーワードが含まれていた場合は、当該キーワードに対応付けられた表示データを表示させることを特徴とするデータ表示方法。
【請求項６】
コンピュータに、
音声ファイル名又は音声ファイルのフォルダ名に含まれるキーワードに対応させて表示データを記憶させる機能と、
前記音声ファイルを再生させるときに、当該音声ファイルに前記キーワードが含まれるか否かを判断し、前記キーワードが含まれていた場合は、当該キーワードに対応付けられた表示データを表示させる機能と、を実現させるためのプログラム。
【発明の詳細な説明】
【技術分野】
【０００１】
本発明は、音声ファイルの再生中に、当該音声ファイルに対応付けられた表示データを表示可能なコンテンツ処理装置、プログラム及びデータ表示方法に関する。
【背景技術】
【０００２】
近年、携帯音楽プレーヤやオーディオ機器等のコンテンツ処理装置において、楽曲の再生中に当該楽曲を演奏しているアーティストのジャケット写真等の画像ファイルを自動的に画面表示させる機能が知られている。具体的には、１つの音声ファイルに対して表示データ（画像ファイル等）を１つ対応付けることで、当該音声ファイルの再生中に当該表示データを表示させるようにしている。なお、音声ファイルと表示データとの対応付けは、ＰＣ等で所定のアプリケーションソフト（音楽転送ソフト等）を利用して、予め行っておく必要があった。
【０００３】
上記技術を用いたものとして、例えば、特許文献１には、画面表示させたい所望の画像ファイルと、任意の場所に保存されている音声ファイルとを対応付ける技術が開示されている。また、特許文献２には、音声ファイルと画像ファイルとを一覧表示させる技術が開示されている。
【特許文献１】特開２００３−２８８２４９号公報
【特許文献２】特開２００５−２５１３４０号公報
【発明の開示】
【発明が解決しようとする課題】
【０００４】
しかしながら、従来のコンテンツ処理装置において画像ファイル等を自動表示させる場合、音声ファイルごとに当該画像ファイルを保存しておく必要があり、例えば、１つの画像ファイルを複数の楽曲で表示させたい場合、楽曲ごとに当該画像ファイルを対応付けて保存しておく必要がある。
また、音声ファイルと画像ファイルを対応付ける際、ユーザはわざわざＰＣを利用して、曲単位、アルバム単位で当該対応付けを行う必要があった。
【０００５】
本発明は、楽曲ごとに表示データを保存することなく、再生中の音声ファイルに対応付けられた表示データを表示可能なコンテンツ処理装置を提供することを目的とする。
【課題を解決するための手段】
【０００６】
請求項１に記載の発明は、上記目的を達成するためになされたものであり、コンテンツ処理装置において、表示データを表示する表示部と、音声ファイル名又は音声ファイルのフォルダ名に含まれるキーワードに対応させて前記表示データを記憶する記憶部と、前記音声ファイルの再生と、当該再生時の前記表示データの表示を制御する制御部と、を備え、前記制御部は、前記音声ファイルを再生させるときに、当該音声ファイルに前記キーワードが含まれるか否かを判断し、前記キーワードが含まれていた場合は、当該キーワードに対応付けられた表示データを前記表示部に表示させることを特徴とする。
【０００７】
請求項２に記載の発明は、請求項１に記載のコンテンツ処理装置において、前記制御部は、前記音声ファイルに複数の前記キーワードが含まれていた場合は、当該複数のキーワードに対応付けられた表示データをすべて表示させるか、又は予め設定された優先順位に基づいて表示させるか、を選択することを特徴とする。
【０００８】
請求項３に記載の発明は、請求項１又は２に記載のコンテンツ処理装置において、前記音声ファイルは、当該音声ファイルの基本的な情報について示したタグ情報を有し、前記制御部は、前記音声ファイルのタグ情報を参照して当該音声ファイルに前記キーワードが含まれるか否かを判断することを特徴とする。
【０００９】
請求項４に記載の発明は、請求項１から３のいずれか一項に記載のコンテンツ処理装置において、前記表示データは、画像ファイルであり、前記制御部は、前記キーワードに対応付けられた画像ファイルを前記表示部に表示させることを特徴とする。
【００１０】
請求項５に記載の発明は、データ表示方法において、音声ファイル名又は音声ファイルのフォルダ名に含まれるキーワードに対応させて表示データを記憶させ、前記音声ファイルを再生させるときに、当該音声ファイルに前記キーワードが含まれるか否かを判断し、前記キーワードが含まれていた場合は、当該キーワードに対応付けられた表示データを表示させることを特徴とする。
【００１１】
請求項６に記載の発明は、プログラムにおいて、コンピュータに、音声ファイル名又は音声ファイルのフォルダ名に含まれるキーワードに対応させて表示データを記憶させる機能と、前記音声ファイルを再生させるときに、当該音声ファイルに前記キーワードが含まれるか否かを判断し、前記キーワードが含まれていた場合は、当該キーワードに対応付けられた表示データを表示させる機能と、を実現させる。
【発明の効果】
【００１２】
本発明によれば、楽曲ごとに表示データを保存することなく、再生中の音声ファイルに対応付けられた表示データを表示可能なコンテンツ処理装置を提供することができる。
【発明を実施するための最良の形態】
【００１３】
以下、本発明の実施の形態を図面に基づいて説明する。なお、本実施形態では、本発明に係るコンテンツ処理装置をオーディオ装置に適用した場合について例示する。
【００１４】
図１は、本実施形態に係るオーディオ装置１００の概略構成を示すブロック図である。
図１に示すように、オーディオ装置１００は、表示部１と、操作部２と、アンプ３と、出力部４と、記憶部５と、制御部６と、入力部７と、を備えて構成される。
【００１５】
表示部１は、例えば、ＬＣＤ（Liquid Crystal Display）、有機ＥＬ（Electro Luminescence）ディスプレイ等のディスプレイを備え、制御部６から出力された表示データに基づいて、楽曲情報等の各種情報（例えば、ジャケット写真等の画像ファイル、歌詞等のテキストファイル等）を表示する。
操作部２は、オーディオ装置１００を操作するための操作キー群（例えば方向指示キー、決定キー、再生キー等）を備える。操作部２は、ユーザにより操作キーが押下されると、操作キーに応じた操作信号を生成し、制御部６に出力する。
【００１６】
アンプ３は、制御部６から出力された音声信号を増幅して出力部４に出力する。
出力部４は、アンプ３から出力された音声信号に基づく音声をヘッドホンやスピーカ、外部機器へ出力する。
【００１７】
記憶部５は、例えば、半導体メモリで構成され、音声ファイル（例えばｍｐ３、ｗｍａ、ａａｃ、ｗａｖ等）、画像ファイル（ｊｐｇ等）、テキストファイル（ｔｘｔ等）、ユーザにより設定されたキーワードと表示データとの対応付け（後述する図３参照）等を記憶する。なお、音声ファイルは、音声ファイルの基本的な情報について示したタグ情報を有するが、当該タグ情報については、図７で後述する。また、記憶部５に記憶されている画像ファイルのフォルダ構成については、図４で後述する。
記憶部５に記憶された音声ファイルは、制御部６で信号処理され、音声信号としてアンプ３に出力される。また、記憶部５に記憶された画像ファイルは、制御部６で信号処理され、表示部１に出力される。
【００１８】
制御部６は、例えば、ＣＰＵ（Central Processing Unit）６１、ＲＡＭ（Random Access Memory）６２、ＲＯＭ（Read Only Memory）６３、ＤＳＰ（Digital Signal Processor）６４等を備えて構成され、オーディオ装置１００の各部を制御する。
ＣＰＵ６１は、ＲＯＭ６３に格納された処理プログラム等を読み出して、ＲＡＭ６２に展開して実行することにより、オーディオ装置１００全体の制御を行う。
ＲＡＭ６２は、ＣＰＵ６１により実行された処理プログラム等を、ＲＡＭ６２内のプログラム格納領域に展開するとともに、入力データや上記処理プログラムが実行される際に生じる処理結果等をデータ格納領域に格納する。
ＲＯＭ６３は、例えば、半導体メモリで構成され、処理プログラムやデータ等が予め記憶されている。ＲＯＭ６３には、例えば、キーワードに対応付けられた表示データを表示させる再生表示プログラム等が記憶されている。
ＤＳＰ６４は、音声ファイル、画像ファイル等のエンコードやデコード、音質調整等を行う。
【００１９】
ＣＰＵ６１は、操作部２からの操作信号を受け付けると、当該操作信号に対応付けられた表示用データを表示部１に出力することで、操作に応じた情報を表示部１に表示させる。
また、ＣＰＵ６１は、ユーザからの再生操作を受けて音声ファイルを再生させるときに、当該音声ファイルにユーザにより設定されたキーワードが含まれるか否かを判断し、キーワードが含まれていた場合は、当該キーワードに対応付けられた表示データを表示部１に表示させる。
【００２０】
Ｉ／Ｆ７は、例えば、ＳＤカード、ＵＳＢメモリ等の記憶媒体を着脱可能に構成され、当該記憶媒体との間で定められた形式に従って、音声ファイル等の送受信を行う。
【００２１】
このように、本実施形態に係るオーディオ装置１００は、表示データを表示する表示部（表示部１）と、音声ファイル名又は音声ファイルのフォルダ名に含まれるキーワードに対応させて前記表示データを記憶する記憶部（記憶部５）と、前記音声ファイルの再生と、当該再生時の前記表示データの表示を制御する制御部（制御部６、ＣＰＵ６１）と、を備える。ＣＰＵ６１は、音声ファイルを再生させるときに、当該音声ファイルにキーワードが含まれるか否かを判断し、キーワードが含まれていた場合は、当該キーワードに対応付けられた表示データを表示部１に表示させる。
これにより、楽曲ごとに表示データを保存することなく、再生中の音声ファイルに対応付けられた表示データを表示できるので、データの管理が容易となる。
【００２２】
図２は、ユーザがキーワードを設定して表示データとの対応付けを行う際に表示される画面の一例について示した図である。また、図３は、キーワードと表示データとの対応関係について示した図である。
図２に示すように、表示部１には、キーワード検索条件として予め「アーティスト名」が選択されている。ユーザは当該画面のキーワード及び表示データを設定入力する。図２では、キーワードとして「ＡＢＣＤ」、表示データとして「ＡＢＣＤ．ｊｐｇ」が設定されている。なお、本実施形態では、ユーザは、音声ファイルのタグ情報（図７参照）が有している情報をキーワードとして設定する。
【００２３】
また、図２における「￥ＰＨＯＴＯ＞ＡＢＣＤ＞ＡＢＣＤ．ｊｐｇ」という表記は、「ＰＨＯＴＯ」フォルダ内の「ＡＢＣＤフォルダ」に格納されている「ＡＢＣＤ．ｊｐｇ」ファイルという意味を表す。ここで、記憶部５に記憶されている画像ファイルのフォルダ構成について、図４を用いて詳しく説明する。
図４は、各種データファイルを保管するフォルダ構成の一例について示した図である。
図４に示すように、フォルダ構成の最上位には「ＰＨＯＴＯ」フォルダが配置され、その下には「２００７０８」フォルダ、「Ｒｏｃｋ」フォルダ、「海」フォルダ、「ＡＢＣＤ」フォルダ等が配置されている。
各フォルダ内にはそれぞれ各種データファイル（例えばＪＰＥＧファイル）が格納され、例えば、「２００７０８」フォルダには、「２００７０８０１．ｊｐｇ」ファイル、「２００７０８０２．ｊｐｇ」ファイルが格納されている。また、例えば、「ＡＢＣＤ」フォルダには、「ＡＢＣＤ．ｊｐｇ」ファイルが格納されている。
ユーザが、キーワード（例えばＡＢＣＤ）に対応付ける表示データ（例えばＡＢＣＤ．ｊｐｇ）を選択すると、当該表示データが格納されている場所を表す情報（例えば￥ＰＨＯＴＯ＞ＡＢＣＤ＞ＡＢＣＤ．ｊｐｇ）が表示部１に表示される。
【００２４】
図２に示したような設定がなされると、図３に示すように、「アーティスト名」をキーワード検索条件として、キーワード「ＡＢＣＤ」に画像ファイル「ＡＢＣＤ．ｊｐｇ」が対応付けられる。同様に、キーワード検索条件に「アーティスト名」を選択し、キーワードとして「ＣＣＣ」、表示データとして画像ファイル「ｘｙｚ．ｊｐｇ」が設定されると、キーワード「ＣＣＣ」に画像ファイル「ｘｙｚ．ｊｐｇ」が対応付けられ、キーワードとして「ＳＳ」、表示データとしてテキストファイル「ａｂｃ．ｔｘｔ」が設定されると、キーワード「ＳＳ」にテキストファイル「ａｂｃ．ｔｘｔ」が対応付けられる。
なお、ここでは、キーワード検索条件として「アーティスト名」を例示したが、例えば、「タイトル名」、「ジャンル名」、「リリース年」等をキーワード検索条件としてもよい。例えば、「タイトル名」をキーワード検索条件として選択すると、それに対応した設定画面が表れ、キーワードと表示データとの対応付けが行われることとなる。
【００２５】
上記対応付けにより、例えば、再生しようとしている音声ファイルのアーティスト名に「ＡＢＣＤ」が含まれている場合、「ＡＢＣＤ．ｊｐｇ」ファイルが表示部１に表示されることとなる。
【００２６】
このように、キーワードを設定して表示データとの対応付けを行うことで、再生しようとしている音声ファイルに当該キーワードが含まれている場合、当該表示データを表示部１に表示させることができる。
これにより、楽曲ごとに表示データを保存する必要がなくなり、音声ファイルと表示データとの対応付けを容易に行うことができる。また、ユーザはキーワードごとに表示させたい表示データを表示させることができるので、視覚的に楽しむことができる。
【００２７】
図５は、ユーザが表示データの表示方法を設定する際に表示される画面の一例について示した図である。
図５に示すように、表示部１には、「合致したキーワードが複数存在する場合」の設定画面が表示されている。「合致したキーワードが複数存在する場合」とは、再生しようとしている音声ファイルのタグ情報から複数のキーワードが検索された場合のことである。例えば、後述する図７に示すようなタグ情報を有する音声ファイルを再生しようとした際、アーティスト名にキーワード「ＡＢＣＤ」、ジャンル名にキーワード「Ｒｏｃｋ」が設定されていたような場合、２つのキーワードが検索される。このようにキーワードが複数検索されると、表示データが複数となるため、そのような場合の表示方法を予め設定しておく必要がある。
そこで、本実施形態では、「合致したキーワードが複数存在する場合」の表示方法として「（１）すべて表示」、「（２）優先順位の高いものを表示」の２つを用意している。「（１）すべて表示」とは、合致したすべてのキーワードに対応付けられた表示データを交互に繰り返し表示させる方法である。「（２）優先順位の高いものを表示」とは、合致したすべてのキーワードに対応付けられた表示データのうち、最も優先順位の高い表示データを表示させる方法である。
図５では、「（１）すべて表示」にカーソルが合わされているので、「合致したキーワードが複数存在する場合」の表示方法は、「（１）すべて表示」に設定されていることがわかる。
このように、合致したキーワードが複数存在する場合に、表示データをすべて表示させるか、或いは優先順位の高いものを表示させるかを、ユーザに選択させるようにしたので、ユーザの目的にあった再生表示を行うことができる。
【００２８】
図６は、本実施形態に係るオーディオ装置１００内で行われる再生表示処理の一例について示したフローチャートである。この再生表示処理は、ユーザにより音声ファイルの再生操作が行われたことを契機に、ＣＰＵ６１がＲＯＭ６３に格納されている再生表示プログラムを実行することにより実現される。
図６に示すように、ステップＳ１では、再生しようとしている音声ファイルに合致したキーワードがあるか否かが判定される。具体的には、当該音声ファイルのタグ情報を取得し、当該タグ情報を記憶部５に記憶されているキーワードと表示データとの対応付け（図３参照）と照らし合わせることで判断を行う。音声ファイルに合致したキーワードがあった場合は、次のステップＳ１へと移行し、音声ファイルに合致したキーワードがなかった場合は、ステップＳ５へと移行する。
ステップＳ２では、音声ファイルに合致したキーワードが複数あるか否かが判定される。音声ファイルに合致したキーワードが複数あった場合は、ステップＳ４へと移行し、音声ファイルに合致したキーワードが一つしかなかった場合は、次のステップＳ３へと移行する。
ステップＳ３では、合致したキーワードに対応付けられた表示データが表示部１に表示される。
ステップＳ４では、表示方法の設定（詳しくは図５参照）に基づいて、合致したキーワードに対応付けられたデータが表示部１に表示される。
ステップＳ５では、表示部１に表示できる表示データがないため、再生表示は行われない。
【００２９】
図７は、音声ファイルのタグ情報について示した図である。
図７に示すように、タグ情報は、タイトル名、アーティスト名、アルバム名、発売日、ジャンル、作曲者の順に配置されている。なお、ユーザは、当該タグ情報に基づいてキーワードの設定を行う。
本実施形態に係るオーディオ装置１００は、ユーザにより音声ファイルの再生操作が行われると、当該音声ファイルのタグ情報に対してキーワード検索を行い、キーワードの合致が認められた場合には、当該キーワード（例えばＡＢＣＤ）に対応付けられた表示データ（例えばＡＢＣＤ．ｊｐｇ）を、表示部１に表示させる。当該表示の様子について図８に示す。
【００３０】
図８は、キーワードに対応付けられた表示データが表示部１に表示されている様子について示した一画面例である。
図８に示すように、表示部１には、アーティスト名「ＡＢＣＤ」、タイトル名「ＥＦＧＨ」、トラック番号「０１」、再生時間「００：０５」が表示され、表示領域Ａには表示データ「ＡＢＣＤ．ｊｐｇ」が表示されている。
例えば、図７のようなタグ情報を有する音声ファイルを再生した場合、アーティスト名に「ＡＢＣＤ」が含まれているので、図８のような表示画面が表示部１に表示される。
なお、アーティスト「ＡＢＣＤ」の他の楽曲が再生される場合も、図８に示したような再生表示を行うことが可能である。
【００３１】
以上、本発明に係る実施形態に基づいて具体的に説明したが、本発明は上記実施形態に限定されるものではなく、その要旨を逸脱しない範囲で変更可能である。
【００３２】
例えば、上記実施形態では、キーワードの検索対象に関して特に制限を行わなかったが、例えば、「アーティスト名」のみを検索対象とするよう設定することができるようにしてもよい。
また、キーワード検索条件を選択しないことも可能である。その場合、すべてのキーワードに対して音声ファイルのタグ情報すべてが検索対象となる。
【００３３】
また、上記実施形態では、表示データの表示方法で「（２）優先順位の高いものを表示」が設定されている場合に、最も優先順位の高い表示データを表示させるようにしているが、優先順位の高い順に表示データを交互に繰り返し表示させるようにしてもよい。
また、キーワードに１つ１つ優先順位を設定し、当該優先順位の順に表示させるようにしてもよい。
【００３４】
また、上記実施形態では、キーワードと表示データを対応付ける際、１つの表示データに対して対応付けを行っているが、例えば、複数の表示データを格納しているフォルダに対して対応付けを行うようにしてもよい。そうすることで、１つのキーワードに対して複数の表示データを対応付けることが可能となる。
【図面の簡単な説明】
【００３５】
【図１】本実施形態に係るオーディオ装置１００の概略構成を示すブロック図である。
【図２】ユーザがキーワードを設定して表示データとの対応付けを行う際に表示される画面の一例について示した図である。
【図３】キーワードと表示データとの対応関係について示した図である。
【図４】各種データファイルを保管するフォルダ構成の一例について示した図である。
【図５】ユーザが表示データの表示方法を設定する際に表示される画面の一例について示した図である。
【図６】本実施形態に係るオーディオ装置１００内で行われる再生表示処理の一例について示したフローチャートである。
【図７】音声ファイルのタグ情報について示した図である。
【図８】キーワードに対応付けられた表示データが表示部１に表示されている様子について示した一画面例である。
【符号の説明】
【００３６】
１００  オーディオ装置
１  表示部
２  操作部
３  アンプ
４  出力部
５  記憶部
６  制御部
６１  ＣＰＵ
６２  ＲＡＭ
６３  ＲＯＭ
６４  ＤＳＰ
７  Ｉ／Ｆ
【図１】
2009295230.tif 000003
【図２】
2009295230.tif 000004
【図３】
2009295230.tif 000005
【図４】
2009295230.tif 000006
【図５】
2009295230.tif 000007
【図６】
2009295230.tif 000008
【図７】
2009295230.tif 000009
【図８】
2009295230.tif 000010